(57)【要約】      （修正有）【課題】家庭用として好適で、使い勝手が良く、しかも家庭的な雰囲気に馴染むインテリア装飾性を備えたウォーターサーバーを提供する。【解決手段】従来例のウォーターサーバー貯水部は一般に、ガロンボトルと呼ばれる大型のボトルを倒立させて装着していたので、外観が殺風景であり、水の補充に労力を要した。本考案のウォーターサーバー貯水部は、上向きの開口１０ａを有する水槽１０で構成する。開口を蓋１１で覆い、その上にインテリア装飾品１２を飾る。これにより、ウォーターサーバーの外観が優雅になり、しかも少量の水を迅速容易に補充することができる。【選択図】図１
0003190295.tif 000002
【実用新案登録請求の範囲】
【請求項１】
飲用水を貯える貯水部と、      
貯水部内の飲用水を流下させて冷却し、もしくは加熱する冷熱部と、
冷却もしくは加熱された飲用水、または冷，熱処理しない常温の飲用水を任意に流出させる水栓機構と、を備えたウォーターサーバーにおいて、
前記貯水部が、上方に向かって開口する給水口を有しており、かつ、上記給水口を覆う蓋部材が設けられていることを特徴とする、ウォーターサーバー。
【請求項２】
前記蓋部材の上にインテリア装飾品が取り付けられており、またはインテリア装飾品を載置し得るようになっている、請求項１に記載のウォーターサーバー。
【請求項３】
前記蓋部材がトレー状をなしていて、和，洋の茶器、もしくは酒器を載置し得るようになっている、請求項１または請求項２に記載のウォーターサーバー。
【請求項４】
前記貯水部を構成する水槽にインテリア意匠が施されている、請求項１ないし請求項３の何れか１項に記載のウォーターサーバー。
【請求項５】
前記水槽は、公知のウォーターサーバー用ボトル既製品を加工して、その底部に開口を形成したものである、請求項１ないし請求項４の何れか１項に記載のウォーターサーバー。
【考案の詳細な説明】
【技術分野】
【０００１】
本考案は、飲用水を貯えておいて、必要に応じて冷水，温水，熱湯，もしくは常温の飲用水を供給するウォーターサーバーに関するものである。
【背景技術】
【０００２】
図４は公知のウォーターサーバーを示す模式的な外観斜視図である。
従来例のウォーターサーバー１は概要的に、本体をなすボックス２の上に貯水部３が設けられた構造である。
この貯水部３は、飲用の原水を大量に貯蔵・運搬するのに便利なように、ガロンボトルと通称される大型（１２リットルの３ガロン型、もしくは２０リットルの５ガロン型）のガラスボトルまたは合成樹脂ボトルによって構成されている。
【０００３】
貯水部３内の水は自重で流下して冷熱部４で冷却され、もしくは加熱され、または冷熱部を素通りして常温のまま、注水栓５からカップ６に提供される。
注水栓は通常、冷水提供用の注水栓と温水（または熱湯）提供用の注水栓とが設けられている。
カップ６から零れた水は下方に流れ落ちて排水槽（本図において隠れている）に貯められる。符号７を付して示したのは手入れ用の扉である。
【０００４】
符号８を付して仮想線で描いたのは、貯水部３のガロンボトルを覆い隠すボトルカバーである。このようなカバー部材は必ずしも設けられてはいない。
また、本体ボックス２を上方に延長し、ボトル収納部を形成してガロンボトルを被い隠した例も有る。
【先行技術文献】
【特許文献】
【０００５】
【特許文献１】特開２００４−１４２８２６号公報
【特許文献２】特開２０１０−２６９８２９号公報
【特許文献３】特開２０１１−１１６４０３号公報
【考案の概要】
【考案が解決しようとする課題】
【０００６】
ウォーターサーバーが実用化された初期には、オフィスや工場または公共的な施設（病院等）に設置されていたが、ウォーターサーバーの普及に伴って個人的な生活空間に導入され、例えば居間や応接室にも設置されるようになってきた。
プライベートな生活空間は、憩いや安らぎを求めて優雅なインテリアで飾られているが、斯かる雰囲気の中で、図４に示した機械的な外観を有する従来例のウォーターサーバーは馴染まない。
【０００７】
図４に示した従来例のウォーターサーバーにおける貯水部３が大型のボトル（１２,２０リットル）で構成されていることは、該ウォーターサーバーが専らオフィスや工場で多数の人々に飲用水を提供していた時代の名残である。
すなわち、飲用水が大量に消費されれば大量に補充しなければならないので、ウォーターサーバー専門の宅配業者が大型のボトルで供給することが合理的であった。
この場合、空になったボトルを取り外したり、原水で満たされている新品ボトルを装着したりする労力は宅配業者がサービスしていた。  
ウォーターサーバーが一般家庭で使用される場合、飲料用水の消費量が少ないので、専門の業者に頼らなくても、市販されている２リットル入りペットボトルの水を補給すれば足り、その方が経済的である。
図４に示した従来例のウォーターサーバーのように、重くて大型のガロンボトルを装着する方式は家庭用としては労力を要し、使い勝手が良くない。
【０００８】
本考案は上述の事情に鑑みて為されたものであって、その目的は家庭用として好適で、使い勝手が良く、しかも家庭的な雰囲気に馴染むインテリア装飾性を備えたウォーターサーバーを提供することである。  
【課題を解決するための手段】
【０００９】
本考案の基本的な原理について、その１実施形態に対応する添付図面を参照して説明すると以下に記載する通りである。
この［課題を解決するための手段］の欄は、図面との対照が容易なように括弧書きで図面符号を付記してあるが、この括弧付き符号は本考案の必須構成要件を図面のとおりに限定するものではない。
【００１０】
請求項１に係る考案の構成は、飲用水を貯える貯水部と、貯水部内の飲用水を流下させて冷却し、もしくは加熱する冷熱部と、冷却もしくは加熱された飲用水、または冷，熱処理しない常温の飲用水を任意に流出させる水栓機構と，を備えたウォーターサーバーにおいて、
（図１参照）前記貯水部を構成している水槽（１０）が、上方に向かって開口（１０ａ）する給水口を有しており、かつ、上記給水口を覆う蓋部材（１１）が設けられていることを特徴とする。
【００１１】
請求項２に係る考案の構成は、前記請求項１の考案の構成要件に加えて、  
（図１参照）  前記の蓋部材（１１）の上にインテリア装飾品（１２）が取り付けられており、またはインテリア装飾品を載置し得るようになっている。
【００１２】
請求項３に係る考案の構成は、前記請求項１または請求項２の考案の構成要件に加えて、
（図３参照）蓋部材（１３）がトレー状をなしていて、和，洋の茶器類、もしくは酒器類（１４）を載置し得るようになっている。
【００１３】
請求項４に係る考案の構成は、前記請求項１ないし請求項３の内の何れかに係る考案の構成要件に加えて、
（図３参照）貯水部を構成する水槽（１０）にインテリア意匠（１０ｂ）が施されている。
【００１４】
請求項５に係る考案の構成は、前記請求項１ないし請求項４の内の何れかに係る考案の構成要件に加えて、
（図６参照）その貯水部を形成している水槽（１７）が、公知のウォーターサーバー用ボトル既製品を加工して、その底部に開口（１７ａ）を形成したものである。
【考案の効果】
【００１５】
請求項１の考案を適用すると、貯水部を構成している水槽が、上方に向かって開口する給水口を有しているので、この給水口から迅速容易に水を補給することができ、労力を要しない。
上記の給水口を覆う蓋部材が設けられているので、水槽内に塵埃が入る虞が無くて衛生的であり、この蓋部材の上に任意のインテリア装飾品を置くことができるので、家庭的な生活空間の雰囲気に馴染み易い。
【００１６】
請求項２の考案を適用すると、前記蓋部材の上にインテリア装飾品が取り付けられており、またはインテリア装飾品を載置し得るようになっているから、何らの手数を要せずにウォーターサーバーをそのままインテリアとして扱うことができる。
【００１７】
請求項３の考案を適用すると、蓋部材がトレー状をなしていて和，洋の茶器類、もしくは酒器類を載置し得るようになっているので、ウォーターサーバーから提供される湯や冷水を用いて緑茶,紅茶などを淹れたり、カクテルを作ったりすることができて好都合である。
【００１８】
請求項４の考案を適用すると、貯水部を構成する水槽にインテリア意匠が施されているので、ウォーターサーバーの上半部が装飾家具をなし、部屋の雰囲気に風趣を添える。
【００１９】
請求項５の考案を適用すると、公知のウォーターサーバー用ボトルを加工して迅速容易に本考案に係る貯水部を構成することができる。
【図面の簡単な説明】
【００２０】
【図１】本考案の１実施形態を示す、部分的に破断して描いた分解斜視図である。
【図２】本考案における蓋部材を示し、（Ａ）,（Ｂ）,（Ｃ）,（Ｄ）それぞれ異なる実施形態の単品斜視図である。
【図３】請求項３および請求項４に係る本考案の実施形態を描いた外観斜視図である。
【図４】公知のウォーターサーバーを示す外観斜視図である。
【図５】公知のウォーターサーバー用のボトルを示し、（Ａ）は単品の外観斜視図、（Ｂ）は設置状態の断面図である。
【図６】請求項５に係る本考案の実施形態を説明する為の垂直断面図である。
【考案を実施するための形態】
【００２１】
以下に本考案における各種の実施形態を説明する。これらの実施形態は図４に示した公知例のウォーターサーバーに本考案を適用して改良したものである。
改良は、図４の貯水部３に対して施され、これに伴ってボトルカバー８は無くなる。本体ボックス２、冷熱部４、注水栓５および扉７は公知例と同様ないし類似である。
【００２２】
図１は貯水部の分解斜視図である。
従来例の貯水部は着脱自在のボトルで構成されていて、設置した状態ではボトルの口が下向きで、ボトルの底が貯水部の頂面を成していた。
本考案における水槽１０は本体ボックスに対して必ずしも着脱自在であることを要しない。該水槽１０は上方に向かう開口１０ａを有しており、該開口を覆う蓋１１が設けられている。
これによって、１〜２リットル程度の少量の水を水槽１０の中へ容易に補充することができ、しかも空気中の塵埃が水槽内に舞い降りる心配が無い。
【００２３】
符号１２を付して示したのはインテリア装飾品であって、本例では果物のレプリカである。果物に限らず、花卉のレプリカや近代美術的な造形芸術品を適用することもできる。
インテリア装飾品１２は蓋１１に接着しても良く、蓋の上に載せておくだけでも良い。複数種類のインテリア装飾品を準備しておいて季節に応じて取替えれば趣きが深い。
人造のレプリカでなく、自然の果物や花卉を載せればいっそう優雅である。
【００２４】
図１の実施形態における蓋１１はトレー形の部材であったが、図２（Ａ）のような竹籠にすれば独特の風趣を生じる。
図２（Ｂ）のように繊維性の素材を編んだものでも、図２（Ｃ）のような幾何学的形状でも、図２（Ｄ）のように単純な木製円板でも良い。
単なる木の板では殺風景かと思われるが、塗装によって風雅にすることもできる。また、この板の上に適宜の布を被せれば一段と面白い。
【００２５】
図３は更に異なる実施形態である。本例の水槽１０の側面には、花や小鳥などを描いて意匠１０ｂを施してある。
水槽１０に施す意匠は平面的な絵画に限らず、立体的な浮彫にすることも考えられる。
また、水槽１０を多色ガラス製にして美麗な外観を形成することもできる。
【００２６】
本実施形態（図３）に符号１３を付したのは盆を兼ねた蓋であって、その上に茶器類・酒器類を置くことができる。
茶器類は抹茶用に限らず煎茶用,紅茶用も含む。茶器類の「類」とは、例えば紅茶器に付属するフルーツ皿やフォーク等を意味する。
本実施形態の盆１３の上には、茶器類・酒器類以外に任意の器具を置いて飾っても良い。
【００２７】
図３の実施形態を適用すると、ウォーターサーバーから注ぎ出した熱湯で茶を淹れたり、ウォーターサーバーから注水した冷水でカクテルを作ったりできるという、家庭生活に密着した文化的な実用効果を奏する。
【００２８】
次に、図５および図６を参照して前記と異なる実施形態について説明する。
この実施形態は請求項５に対応し、公知のウォーターサーバー用ボトル（既製品）を加工して本考案に係る貯水部を形成する。
図５は公知のウォーターサーバー用ボトルを示し、（Ａ）は外観斜視図、（Ｂ）はウォーターサーバーに装着した状態の断面図である。
（図５（Ａ）参照）従来例のボトル１５は一般に、胴部１５の上端を絞って口部１５ａが形成されている。１５ｃは底部である。
【００２９】
（図５（Ｂ）参照）この断面図に表されているように、従来例のボトル１５の中には飲用の水１６が入れられており、口部１５ａを下に向け、底部１５ｃを上にして、言わば倒立させて本体ボックス２に装着される。
従来例のボトル１５の口部１５ａの構造は各種あるが、要する本体ボックス２に対して水密に連結できるようになっている。
本実施形態においては、前記底部１５ｃを加工して開口を設ける（詳細下記）。
【００３０】
図６は、従来例を描いた図５（Ｂ）に対応し、本実施形態（請求項５）を適用して加工されたボトル１７が本体ボックス２に装着されている状態の断面図である。
この加工されたボトル１７は、前掲の図５（Ｂ）に示した従来例のボトル１５の底部１５ｃの１部を切り取って底部開口１７ａを形成したものである。
従来例のボトル１５の口部１５ａは加工を施していないのでそのまま本体ボックス２に適合し、水漏れなどの不具合を生じることなく水１６を貯留することができる。
【００３１】
前記底部開口１７ａを覆って蓋１１を置き、インテリア装飾品１２を載せる。
公知の既製品ボトルを加工して形成した図６のボトル１７においても、その胴部を塗装したり、飾り具（図示省略）を取り付けたりして意匠を施すことができる。
また、図６に示したインテリア装飾品１２に代えて茶器類１４など適宜の室内調度品を載せて便利に、かつ優雅に活用することも推奨される。
【符号の説明】
【００３２】
１  …ウォーターサーバー
２  …本体ボックス
３  …貯水部（ボトル）
４  …冷熱部
５  …注水栓
６  …カップ
７  …扉
８  …ボトルカバー
１０  …水槽
１０ａ  …開口
１０ｂ  …意匠
１１  …蓋
１２  …インテリア装飾品
１３  …盆（兼蓋）
１４  …茶器・酒器類
１５  …従来例のボトル
１５ａ  …口部
１５ｂ  …胴部
１５ｃ  …底部
１６  …水
１７  …加工されたボトル
１７ａ  …底部開口
【図１】
0003190295.tif 000003
【図２】
0003190295.tif 000004
【図３】
0003190295.tif 000005
【図４】
0003190295.tif 000006
【図５】
0003190295.tif 000007
【図６】
0003190295.tif 000008